【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
前面と、
前記前面の内部表面にある第１のプリント回路基板と、
前記前面と対向する前記第１のプリント回路基板の一側面に、前記第１のプリント回路基板上にある起動リセットスイッチと、
起動端とリセットボタン端との間に支点を有するリセットボタンアセンブリであって、前記リセットボタン端はリセットボタンを有し、前記起動端は起動突起を有し、前記起動突起は前記起動リセットスイッチに面し、前記リセットボタンは起動突起と同じ方向を向く、前記リセットボタンアセンブリと、
を備えた電子機器。
【請求項２】
前記リセットボタンアセンブリは、前記リセットボタンに内向きの力が加わったときに前記電子機器をリセットするよう構成され、前記内向きの力は、前記起動突起が前方に起動する力を前記起動リセットスイッチに加えてリセットを開始するように前記リセットボタンアセンブリを前記支点に関して回転させ、前記内向きの力および前記前方に起動する力は向きが対向する、請求項１に記載の電子機器。
【請求項３】
前記内部表面に面し、前記内部表面に直交するスプリングレグを備え、前記スプリングレグは前記支点と前記起動突起との間にあり、前記スプリングレグは、前記起動突起が前記起動リセットスイッチに隣接し、前記内向きの力が加えられたときに前記起動リセットスイッチを起動するために配置されるように前記リセットボタンアセンブリを適切な位置に固定する、請求項２に記載の電子機器。
【請求項４】
第２のプリント回路基板であって、水平であり、前記第１のプリント回路基板に直交する前記第２のプリント回路基板と、
前記第２のプリント回路基板上のスマートカードリーダーと、
を備えた、請求項３に記載の電子機器。
【請求項５】
中央窪み部分を囲う平面的な周辺部分を有する上部ヒートシンクを備え、前記中央窪み部分は、前記第２のプリント回路基板上の発熱要素に接触している、請求項４に記載の電子機器。
【請求項６】
第２のプリント回路基板であって、水平であり、前記第１のプリント回路基板に直交する前記第２のプリント回路基板と、
前記第２のプリント回路基板上にあり、又は隣接するハードドライブと、
を備えた、請求項３に記載の電子機器。
【請求項７】
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、請求項６に記載の電子機器。
【請求項８】
前記第２のプリント回路基板上にあり、又は隣接するハードドライブと、
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、請求項５に記載の電子機器。
【請求項９】
隔壁を備え、前記ハードドライブおよび冷気チャネルは前記隔壁の一方の側にあり、前記スマートカードリーダーおよび前記上部ヒートシンクは前記隔壁の他方の側にある、請求項８に記載の電子機器。
【請求項１０】
前記電子機器はセットトップボックスである、請求項１に記載の電子機器。
【請求項１１】
第２のプリント回路基板と、
前記第２のプリント回路基板上にある情報カードリーダーと、
を備えた、請求項３に記載の電子機器。
【請求項１２】
中央窪み部分を囲う平面的な周辺部分を有する上部ヒートシンクを備え、前記中央窪み部分は、前記第２のプリント回路基板上の発熱要素に接触している、請求項１１に記載の電子機器。
【請求項１３】
前記電子機器の底面上および前記第２のプリント回路基板上にあり、又は隣接するハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、請求項１２に記載の電子機器。
【請求項１４】
第２のプリント回路基板であって、水平であり、前記第１のプリント回路基板に直交する前記第２のプリント回路基板と、
前記第２のプリント回路基板上にあり、又は隣接するハードドライブと、
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
隔壁を備え、前記ハードドライブおよび冷気チャネルは前記隔壁の一方の側にあり、前記第２のプリント回路基板上にあるスマートカードリーダーおよび中央窪み部分を囲う平面的な周辺部分を有する上部ヒートシンクは前記隔壁の他方の側にあり、前記中央窪み部分は、前記第２のプリント回路基板上の発熱要素に接触している、請求項３に記載の電子機器。
【請求項１５】
隔壁を備え、前記ハードドライブおよび冷気チャネルは前記隔壁の一方の側にあり、前記情報カードリーダーおよび前記上部ヒートシンクは前記隔壁の他方の側にある、請求項１３に記載の電子機器。
【手続補正２】
【補正対象書類名】明細書
【補正対象項目名】００１７
【補正方法】変更
【補正の内容】
【００１７】
図面は、開示したものの概念を説明する目的のためであり、必ずしも開示したものを説明するために唯一の可能な構成ではない。例えば、実施例はセットトップボックスおよびスマートカードに関して述べられているが、本発明は、ハードドライブおよびスマートカード以外の情報カードの一種を有することができる他の装置を有する他の電子機器に適用可能である。
［付記１］
前面と、
前記前面の内部表面にある第１のプリント回路基板と、
前記前面と対向する前記第１のプリント回路基板の一側面に、前記第１のプリント回路基板上にある起動リセットスイッチと、
起動端とリセットボタン端との間に支点を有するリセットボタンアセンブリであって、前記リセットボタン端はリセットボタンを有し、前記起動端は起動突起を有し、前記起動突起は前記起動リセットスイッチに面し、前記リセットボタンは起動突起と同じ方向を向く、前記リセットボタンアセンブリと、
を備えた電子機器。
［付記２］
前記リセットボタンアセンブリは、前記リセットボタンに内向きの力が加わったときに前記電子機器をリセットするよう構成され、前記内向きの力は、前記起動突起が前方に起動する力を前記起動リセットスイッチに加えてリセットを開始するように前記リセットボタンアセンブリを前記支点に関して回転させ、前記内向きの力および前記前方に起動する力は向きが対向する、付記１に記載の電子機器。
［付記３］
前記内部表面に面し、前記内部表面に直交するスプリングレグを備え、前記スプリングレグは前記支点と前記起動突起との間にあり、前記スプリングレグは、前記起動突起が前記起動リセットスイッチに隣接し、前記内向きの力が加えられたときに前記起動リセットスイッチを起動するために配置されるように前記リセットボタンアセンブリを適切な位置に固定する、付記２に記載の電子機器。
［付記４］
第２のプリント回路基板であって、水平であり、前記第１のプリント回路基板に直交する前記第２のプリント回路基板と、
前記第２のプリント回路基板上のスマートカードリーダーと、
を備えた、付記３に記載の電子機器。
［付記５］
中央窪み部分を囲う平面的な周辺部分を有する上部ヒートシンクを備え、前記中央窪み部分は、前記第２のプリント回路基板上の発熱要素に接触している、付記４に記載の電子機器。
［付記６］
第２のプリント回路基板であって、水平であり、前記第１のプリント回路基板に直交する前記第２のプリント回路基板と、
前記第２のプリント回路基板上にあり、又は隣接するハードドライブと、
を備えた、付記３に記載の電子機器。
［付記７］
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、付記６に記載の電子機器。
［付記８］
前記第２のプリント回路基板上にあり、又は隣接するハードドライブと、
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、付記５に記載の電子機器。
［付記９］
隔壁を備え、前記ハードドライブおよび冷気チャネルは前記隔壁の一方の側にあり、前記スマートカードリーダーおよび前記上部ヒートシンクは前記隔壁の他方の側にある、付記８に記載の電子機器。
［付記１０］
前記電子機器はセットトップボックスである、付記１に記載の電子機器。
［付記１１］
第２のプリント回路基板と、
前記第２のプリント回路基板上にある情報カードリーダーと、
を備えた、付記３に記載の電子機器。
［付記１２］
中央窪み部分を囲う平面的な周辺部分を有する上部ヒートシンクを備え、前記中央窪み部分は、前記第２のプリント回路基板上の発熱要素に接触している、付記１１に記載の電子機器。
［付記１３］
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、付記１２に記載の電子機器。
［付記１４］
第２のプリント回路基板であって、水平であり、前記第１のプリント回路基板に直交する前記第２のプリント回路基板と、
前記第２のプリント回路基板上にあり、又は隣接するハードドライブと、
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
隔壁を備え、前記ハードドライブおよび冷気チャネルは前記隔壁の一方の側にあり、前記スマートカードリーダーおよび前記上部ヒートシンクは前記隔壁の他方の側にある、付記３に記載の電子機器。
［付記１５］
隔壁を備え、前記ハードドライブおよび冷気チャネルは前記隔壁の一方の側にあり、前記スマートカードリーダーおよび前記上部ヒートシンクは前記隔壁の他方の側にある、付記１３に記載の電子機器。